(57)【要約】【課題】  簡単、且つコンパクトな構成で、密閉容器内からの液体の供給を行うことが可能な使い捨て液体供給用ポンプを提供すること。【解決手段】  ケースと、上記ケース内であって上記液体送出部に連通する位置に設けられ液体が充填されたシリンダ部と、上記ケース内に設けられ先端側に設けられたピストン部を上記シリンダ部内に位置させ基端側に鋸状突起を備えた押し棒と、上記ケース内に設けられ上記押し棒の鋸状突起の部分に当接されたコンタクトと、上記ケースに対して着脱可能に取り付けられ上記コンタクトを押圧することにより鋸状突起を介して押し棒を前進させ、それによって、ピストン部を介してシリンダ部内に充填されている液体を送出する駆動手段と、を具備したもの。【選択図】  図１
2012062761.tif 000002
【特許請求の範囲】
【請求項１】
ケースと、
上記ケース内であって上記液体送出部に連通する位置に設けられ液体が充填されたシリンダ部と、
上記ケース内に設けられ先端側に設けられたピストン部を上記シリンダ部内に位置させ基端側に鋸状突起を備えた押し棒と、
上記ケース内に設けられ上記押し棒の鋸状突起の部分に当接されたコンタクトと、
上記ケースに対して着脱可能に取り付けられ上記コンタクトを押圧することにより鋸状突起を介して押し棒を前進させ、それによって、ピストン部を介してシリンダ部内に充填されている液体を送出する駆動手段と、
を具備したことを特徴とする使い捨て液体供給ポンプ。
【請求項２】
請求項１記載の使い捨て液体供給ポンプにおいて、
上記コンタクトは、上記押し棒に対して４５°の角度で当接・配置されていて、上記駆動手段は上記コンタクトに対して直交する方向から対向・配置されていることを特徴とする使い捨て液体供給ポンプ。
【請求項３】
請求項１又は請求項２記載の使い捨て液体供給ポンプにおいて、
上記押し棒はその鋸状突起を上記ケース内に内装されたベースに当接させた状態で設置されていて、上記鋸状突起は上記押し棒の前進を許容し後退を規制するように押し棒の後退方向に向かって突設されていることを特徴とする使い捨て液体供給ポンプ。
【請求項４】
請求項３記載の使い捨て液体供給ポンプにおいて、
上記鋸状突起の前方側の傾斜面の傾斜角度は４５°に設定されていることを特徴とする使い捨て液体供給ポンプ。
【発明の詳細な説明】
【技術分野】
【０００１】
本発明は、例えば、医療用の薬液や染料等の液体を供給するための使い捨て液体供給ポンプに係り、特に、液体を収容している容器とポンプ機構が一体に設けられ、且つ、構成の簡略化と小型化を図ることができるように工夫したものに関する。
【背景技術】
【０００２】
使い捨て液体供給ポンプとしては、例えば、特許文献１に示すようなものがある。
まず、特許文献１に開示されている使い捨て液体供給ポンプは、第１の基板と第２の基板との間に少なくとも一部分が振動するダイヤフラムを挟み、いわゆる「マイクロポンプ」として構成されたものである。
【０００３】
又、使い捨てタイプではないが、液体供給ポンプとして、例えば、特許文献２に記載されたものがある。これは、いわゆる「シリンジポンプ」であり、押し棒を押すことにより密閉容器内の薬液を供給するものである。
【先行技術文献】
【特許文献】
【０００４】
【特許文献１】特開平１０−１１０６８１号公報
【特許文献２】特許第４１８７７８４号公報
【発明の概要】
【発明が解決しようとする課題】
【０００５】
上記従来の構成によると次のような問題があった。
まず、特許文献１に記載されているマイクロポンプの場合には、構成の簡略化とコンパクト化を図ることができるものの、ポンプ圧が小さいために密閉容器内に収容されている液体の供給には不向きであった。
又、特許文献２に記載されているシリンジポンプの場合には、筒の中に液体が充填されていて、それを直接送るような構成になっているので、装置が大掛かりになってしまい、且つ、高価になってしまうという問題があった。
【０００６】
本発明はこのような点に基づいてなされたものでその目的とするところは、簡単、且つ、コンパクトな構成で、密閉容器内の液体を確実に供給することが可能な使い捨て液体供給ポンプを提供することにある。
【課題を解決するための手段】
【０００７】
上記目的を達成するべく本願発明の請求項１による使い捨て液体供給ポンプは、ケースと、上記ケース内であって上記液体送出部に連通する位置に設けられ液体が充填されたシリンダ部と、上記ケース内に設けられ先端側に設けられたピストン部を上記シリンダ部内に位置させ基端側に鋸状突起を備えた押し棒と、上記ケース内に設けられ上記押し棒の鋸状突起の部分に当接されたコンタクトと、上記ケースに対して着脱可能に取り付けられ上記コンタクトを押圧することにより鋸状突起を介して押し棒を前進させ、それによって、ピストン部を介してシリンダ部内に充填されている液体を送出する駆動手段と、を具備したことを特徴とするものである。
又、請求項３による使い捨て液体供給ポンプは、請求項１又は請求項２記載の使い捨て液体供給ポンプにおいて、上記押し棒はその鋸状突起を上記ケース内に内装されたベースに当接させた状態で設置されていて、上記鋸状突起は上記押し棒の前進を許容し後退を規制するように押し棒の後退方向に向かって突設されていることを特徴とするものである。
又、請求項４による使い捨て液体供給ポンプは、請求項３記載の使い捨て液体供給ポンプにおいて、上記鋸状突起の前方側の傾斜面の傾斜角度は４５°に設定されていることを特徴とするものである。
【発明の効果】
【０００８】
以上述べたように本願発明の請求項１による使い捨て液体供給ポンプによると、ケースと、上記ケース内であって上記液体送出部に連通する位置に設けられ液体が充填されたシリンダ部と、上記ケース内に設けられ先端側に設けられたピストン部を上記シリンダ部内に位置させ基端側に鋸状突起を備えた押し棒と、上記ケース内に設けられ上記押し棒の鋸状突起の部分に当接されたコンタクトと、上記ケースに対して着脱可能に取り付けられ上記コンタクトを押圧することにより鋸状突起を介して押し棒を前進させ、それによって、ピストン部を介してシリンダ部内に充填されている液体を送出する駆動手段と、を具備した構成になっているので、まず、簡単な構成で、且つ、コンパクトな使い捨て液体供給用ポンプを提供することができる。又、駆動手段はケースに対して着脱可能に構成されているので、繰り返し使用することができる。又、押し棒には鋸状突起が設けられているので、駆動手段によって押し棒を押し出した後は不用意に戻るようなことはなく、必要な量の液体を確実に送出することができる。
又、請求項２による使い捨て液体供給ポンプは、請求項１記載の使い捨て液体供給ポンプにおいて、上記コンタクトは、上記押し棒に対して４５°の角度で当接・配置されていて、上記駆動手段は上記コンタクトに対して直交する方向から対向・配置されているので、上記効果をより確実なものとすることができる。
又、請求項３による使い捨て液体供給ポンプは、請求項１又は請求項２記載の使い捨て液体供給ポンプにおいて、上記押し棒はその鋸状突起を上記ケース内に内装されたベースに当接させた状態で設置されていて、上記鋸状突起は上記押し棒の前進を許容し後退を規制するように押し棒の後退方向に向かって突設されているので、押し出された押し棒が不用意に戻ってしまうことを防止することができる。
又、請求項４による使い捨て液体供給ポンプは、請求項３記載の使い捨て液体供給ポンプにおいて、上記鋸状突起の前方側の傾斜面の傾斜角度は４５°に設定されているので、上記効果をより確実なものとすることができる。
【図面の簡単な説明】
【０００９】
【図１】本発明の一実施の形態を示す図で、使い捨て液体供給ポンプの構成を示す斜視図である。
【図２】本発明の一実施の形態を示す図で、使い捨て液体供給ポンプの構成を示す縦断面図である。
【図３】本発明の一実施の形態を示す図で、図３（ａ）はプランジャー機構を動作させる前の使い捨て液体供給ポンプの要部の状態を示す断面図、図３（ｂ）はプランジャー機構を動作させた時の使い捨て液体供給ポンプの要部の状態を示す断面図、図３（ｃ）はプランジャー機構を動作させた後の使い捨て液体供給ポンプの要部の状態を示す断面図である。
【発明を実施するための形態】
【００１０】
以下、図１乃至図３を参照して本発明の一実施の形態を説明する。この実施の形態は、本願発明を医療用の薬液注入器に適用した例を示すものである。図１は本実施の形態による使い捨て液体供給ポンプの全体の構成を示す斜視図であり、図２は本実施の形態による使い捨て液体供給ポンプの全体の構成を示す縦断面図である。まず、ケース１がある。このケース１は中空部３を備えている。上記中空部３の基端側（図２中右側端）開口部５には端栓７が取り付けられている。又、上記ケース１の先端側（図２中左側端）開口部９には薬液送出部１１が取り付けられている。この薬液送出部１１の中心には薬液送出孔１２が形成されている。又、上記薬液送出部１１には図示しない注射針やチューブに接続される。
【００１１】
上記ケース１内であって先端側にはシリンダ部１３が設けられている。このシリンダ部１３は、外筒１５とパッキン１７とから構成されている。一方、ケース１内であって基端側にはシリコンゴム製のベース１９が内装されているとともにこのベース１９の図１中左側には円筒状ガイド２０が内装されている。上記ベース１９と円筒状ガイド２０の内側には押し棒２１が図中左右方向に移動可能な状態で設置されている。上記押し棒２１の先端は上記パッキン１７を貫通してシリンダ部１３内に突出・配置されていて、そこにはピストン２３が設けられている。
【００１２】
上記押し棒２１の基端部の外周部には鋸状突起２５が設けられている。上記鋸状突起２５は、図３に拡大して示すように、ケース１の基端側に向かって突出・配置されている。具体的には、図２中鋸状突起２５の左側傾斜面の傾斜角度（α１）は４５°となっている。それによって、押し棒２１の先端方向への移動を許容するものの基端側への移動については鋸状突起２５がベース１９に食い込むことにより規制するように構成されている。
【００１３】
上記ケース１内であって上記押し棒２１の基端部の外周側にシリコンゴム製のコンタクト２７が設置されている。上記コンタクト２７は片持ち梁状に設けられた支持材２９とこの支持材２９の先端に設けられた球材３１とから構成されている。又、上記ケース１にはプランジャー機構３３が着脱可能に取り付けられている。上記プランジャー機構３３は、プランジャー機構本体３４と、押圧操作部３５と、この押圧操作部３５に連結された棒体３７とから構成されている。上記棒体３７の先端面には図示しない球状凹部が形成されている。上記支持材２９の傾斜角度（α２）も４５°に設定されている。又、プランジャー機構３３の棒体３７の傾斜角度（α３）も４５°に設定されている。
【００１４】
そして、上記押圧操作部３５を押圧操作することにより棒体３７が前進する。棒体３７が前進することにより球材３１を介して支持材２９が撓み、それによって、押し棒２１が図２中左方向に移動するように構成されている。
尚、図１に示すように、上記プランジャー機構本体３４は、二本の固定ねじ４３、４３によってケース１に固定されている。又、図１中符号４５はケーブルである。
【００１５】
又、上記シリンダ１３内には薬液４１が充填されている。
【００１６】
以上の構成を基にその作用を説明する。
まず、プランジャー機構３３を動作させる前は図３（ａ）に示すような状態にある。プランジャー機構３３の棒体３７の先端と球材３１との間には微小隙間４１が形成されている。
【００１７】
その状態から、プランジャー機構３３を押圧操作すると、図３（ｂ）に示すように、プランジャー機構３３の棒体３７の先端がコンタクト２７の球材３１を押圧する。それによって、コンタクト２７の支持材２９が撓んで球材３１が図中左方向に移動する。この球材３１の移動に伴って、押し棒２１が図２中左側に移動せられる。押し棒２１の図１中左側への移動により、ピストン２３が同方向に移動し、シリンダ１３内の薬液４１が押し出される。押し出された薬液３５は薬液送出部１１を介して、例えば、皮下内に送出される。
【００１８】
その後、プランジャー機構３３の押圧操作を復帰操作すると、図３（ｃ）に示すように、プランジャー機構３３の棒体３７は元の位置に復帰する。又、コンタクト２７は自身の弾性復帰力によって元の位置に復帰する。一方、押し棒２１は鋸状突起２５がベース部１９に食い込むことによりその後退は規制される。
尚、プランジャー機構３３は繰り返し使用することができる。その他の部分は使い捨てである。
【００１９】
以上本実施の形態によると次のような効果を奏することができる。
まず、簡単、且つ、コンパクトな構成の使い捨て液体供給用ポンプを提供することができる。それによって、例えば、人体に装着可能な医療用の液体供給用ポンプを提供することができる。
又、プランジャー機構３３はケース１に対して着脱可能に構成されているので、繰り返し使用することができる。
又、押し棒２１には鋸状突起２５が設けられているので、プランジャー機構３３によって押し棒２１を押し出した後は不用意に戻るようなことはなく、必要な量の薬液４１を確実に送出することができる。
【００２０】
尚、本発明は前記一実施の形態に限定されるものではない。
まず、前記一実施の形態の場合には、駆動手段としてプランジャー機構を使用した構成を例に挙げて説明したが、それ以外にも、ピエゾ素子を使用したもの、バイモルフ素子を使用したもの、ソレノイドを使用したもの、等が想定される。そして、それらをマイクロコンピュータによって制御して精密な流量制御を行うことが考えられる。
又、前記一実施の形態の場合にはプランジャー機構を押圧操作部と棒体とから構成したが、それに限定されるものではなく、例えば、ケース側に球面座を設け、コンタクトを独立した球体としてもよい。
又、前記一実施の形態の場合には、医療用の薬液注入器を例に挙げて説明したが、それ以外にも様々な用途が想定される。
その他、図示した構成はあくまで一例である。
【産業上の利用可能性】
【００２１】
本発明は、例えば、薬品や染料等の液体を供給するための使い捨て液体供給ポンプに係り、特に、液体を収容している容器とポンプ機構が一体に設けられ、且つ、構成の簡略化と小型化を図ることができるように工夫したものに関し、例えば、医療用の薬液注入器に好適である。
【符号の説明】
【００２２】
１  ケース
１３  シリンダ部
２１  押し棒
２３  ピストン
２５  鋸状突起
２７  コンタクト
３３  プランジャー機構（駆動手段）
【図１】
2012062761.tif 000003
【図２】
2012062761.tif 000004
【図３】
2012062761.tif 000005